(57)【要約】【課題】  携帯電話機を確実に保持した上で、さらにデータ通信ケーブルを容易に接続できる、最小限の大きさの電子装置の置き台を得ることを目的とする。【解決手段】  充電のみを行うときは第１の台部１１０を下にして電子装置の一例である携帯電話機２００を縦置きとする第１の載置位置で載置するが、充電とデータ通信を同時に行うときは、第２の台部１２０のある側面側に倒して横置きとする第２の載置位置で載置することで、第２の台部１２０で携帯電話機２００を支えるとともに、爪部１３０が携帯電話機２００の凹部２１１に嵌合して保持することで、携帯電話機２００を低い重心で保持すると同時に、開口部１１１を通して携帯電話機２００のインターフェイスコネクタ２１２にデータ通信ケーブル３００を接続することができるように構成した。【選択図】          図１
2006262326.tif 000002
【特許請求の範囲】
【請求項１】
電子装置の第１の充電端子とインターフェイスコネクタが設けられた第１の面が底面となる第１の載置位置で、前記電子装置が載置される台となり、前記第１の面に対向する面の前記第１の充電端子に対向する位置に第２の充電端子を、前記インターフェイスコネクタに対向する位置に開口部を有する第１の台部、
その第１の台部に接続して設けられ、前記電子装置の前記第１の面に連接する第２の面が底面となる第２の載置位置で、前記電子装置が載置される台となる第２の台部、
及びその第２の台部に設けられて、前記電子装置に設けられた凹部に嵌合する爪部を備えたことを特徴とする電子装置の置き台。
【請求項２】
第２の充電端子を第１の充電端子に向けて付勢する弾性体を備えたことを特徴とする請求項１に記載の電子装置の置き台。
【請求項３】
第２の台部は弾性材料からなることを特徴とする請求項１に記載の電子装置の置き台。
【請求項４】
第２の台部の電子装置に接する面に、弾性材料からなる緩衝材を設けたことを特徴とする請求項１に記載の電子装置の置き台。
【請求項５】
置き台の第１の載置位置において底面となる面の、第１の載置位置での電子装置及び置き台の重心から下ろした垂線の足を内部に含む三角形の各頂点の位置に、弾性材料からなる第１の足部を設けたことを特徴とする請求項１に記載の電子装置の置き台。
【請求項６】
置き台の第２の載置位置において底面となる面に、第２の載置位置での電子装置及び置き台の重心から下ろした垂線の内部に含む三角形の各頂点の位置に、弾性材料からなる第２の足部を設けたことを特徴とする請求項１に記載の電子装置の置き台。
【発明の詳細な説明】
【技術分野】
【０００１】
この発明は、電子装置の置き台に関するものである。
【背景技術】
【０００２】
従来の電子装置の置き台は、置き台である充電装置の背面側の第２の卓上載置面と、電子装置である携帯通信装置の装置受け台背当て部との間に、それぞれの充電装置底面側の第１の卓上載置面からの角度をθ及びθ’とすると、θ＞θ’の関係をもち、データ通信時は通常の充電姿勢から充電装置を背面側に倒して行うように構成されている。（例えば、特許文献１参照）
【特許文献１】特開２００２−７８２１３公報（段落０００７から００１０、図２及び図３）
【発明の開示】
【発明が解決しようとする課題】
【０００３】
従来の電子装置の置き台は以上のように構成されているので、次のような問題点があった。
（１）充電装置、すなわち置き台を電子装置の背面側に倒すため、置き台と電子装置の充電端子の間の接圧を維持するには、電子装置を倒したときに、わずかでも電子装置の頭部を端子部より持ち上げねばならず、必然的に置き台は電子装置を背面側に倒さない場合よりさらに厚みを増さなければならない。
（２）置き台を電子装置の背面側に倒すので、電子装置の重心位置よりわずかでも高い位置で背面を支える必要があり、背面側に倒さない場合に比べて、置き台の背面側に必要以上に高い位置で支える構造を設けなければならない。
（３）充電端子の接圧を維持するため、背面側に倒した状態で電子装置が端子面より浮き上がらないように端子部に保持装置が必要となる。
【０００４】
この発明は上記のような問題点を解消するためになされたもので、電子装置を確実に保持した上で、さらにデータ通信ケーブルを容易に接続できる、最小限の大きさの電子装置の置き台を得ることを目的とする。
【課題を解決するための手段】
【０００５】
この発明に係る電子装置の置き台は、電子装置の第１の充電端子とインターフェイスコネクタが設けられた第１の面が底面となる第１の載置位置で、電子装置が載置される台となり、前記電子装置の第１の面に対向する面の前記第１の充電端子に対向する位置に第２の充電端子を、インターフェイスコネクタに対向する位置に開口部を有する第１の台部、その第１の台部に接続して設けられ、電子装置の第１の面に連接する第２の面が底面となる第２の載置位置で、電子装置が載置される台となる第２の台部、及び第２の台部に設けられて、電子装置に設けられた凹部に嵌合する爪部を設けて、充電のみを行うときは、第１の載置位置で電子装置を縦置きにして第１の台部に載置するが、充電とデータ通信を同時に行うときは、第２の載置位置で電子装置を横置きで第２の台部に載置すれば、電子装置を低い重心で保持すると同時に、開口部を通して電子装置のインターフェイスコネクタにデータ通信ケーブルを接続することができるように構成した。なお、この電子装置の置き台は、携帯電話機、携帯情報端末又は携帯用ゲーム機等に類する電子装置一般に適用可能である。
【発明の効果】
【０００６】
この発明によれば、第１の載置位置である縦置きの状態から置き台を第２の台部のある側面側に倒して、電子装置を第２の載置位置である横置きの状態で第２の台部に爪部で固定して載置することで、縦置きの状態では底面となって隠れていた、データ通信ケーブルを通す第１の台部の開口部が開放されるので、背面に倒してデータ通信ケーブルを接続する構成のように、電子装置を直立して保持する場合よりさらに置き台の厚みを増し、置き台の背面側に必要以上に高い位置で支える構造を設け、又は端子部に保持装置を設けることなく、置き台を最小限の大きさで構成することが出来るとともに、充電中の電子装置を低い重心で安定して確実に保持した状態で、データ通信ケーブルを接続できる。
【発明を実施するための最良の形態】
【０００７】
実施の形態１．
図１は、この発明の実施の形態１の電子装置の置き台の概略図であり、電子装置の一例である携帯電話機を置き台に載置したときの、（ａ）は第１の載置位置である縦置きの状態、（ｂ）は第２の載置位置である横置きの状態をそれぞれ示している。また、図２は、携帯電話機を載置しない置き台の概略図であり、（ａ）は縦置きの状態、（ｂ）は横置きの状態をそれぞれ示している。
【０００８】
図１及び図２に示すように、置き台１００には、縦置きの状態で携帯電話機２００の台となる略三角形状の第１の台部１１０が設けられ、第１の台部１１０に接続して、横置きの状態で携帯電話機２００の台となる第２の台部１２０が設けられている。
第１の台部１１０にはデータ通信ケーブル３００を通すための開口部１１１が設けられており、また図２（ｂ）に示したように、置き台１００の第２の台部１２０の、携帯電話機２００の側面に接する部分にはスポンジやゴム等の弾性材料からなる緩衝材１２１が設けられ、第２の台部１２０の先端には爪部１３０が設けられている。
【０００９】
図３は、置き台に載置されるスライド式の携帯電話機の概略図であり、（ａ）及び（ｂ）は表示部を収納して閉じた状態の斜視図を、（ｃ）は開いた状態の斜視図をそれぞれ示している。また、図４は、置き台に載置される折り畳み式の携帯電話機の概略図である。
【００１０】
図３（ａ）及び（ｂ）に示すように、スライド式の携帯電話機２００ａの操作部２１０ａの縦置きの状態で天面となる面の一端には、爪部１３０と嵌合する凹部２１１ａが設けられており、また、縦置きの状態で底面となる第１の面２０１ａの中央付近には、データ通信ケーブル３００のコネクタ３１０が接続されるインターフェイスコネクタ２１２ａが、そして、その左右に第１の充電端子２１３ａ及び２１４ａが配置されている。
なお、横置きの状態では、第１の面２０１ａに連接する第２の面２０２ａが底面となる。
図３（ｃ）に示すように、スライド式の携帯電話機２００ａでは、表示部２２０ａの正面に液晶表示画面２２１ａが設けられ、操作部２１０ａの正面に操作キー２１５ａが配置されている。
また、図４に示すように、折り畳み式の携帯電話機２００ｂは、スライド式の携帯電話機２００ａと同様の構成であるが、表示部２２０ｂを閉じた状態では液晶表示画面２２１ｂは見えない点が相違する。
【００１１】
図５は、図３及び図４に示した携帯電話機２００ａ又は２００ｂの表示部２２０ａ又は２２０ｂを開いて置き台１００に載置した状態を示す図である。
図１では、スライド式の携帯電話機２００ａを置き台に載置した状況を示しているが、図１に示したように、スライド式の携帯電話機２００ａは、表示部２２０ａを開かずとも液晶表示画面２２１ａを見ることができるが、折り畳み式の携帯電話機２００ｂの場合は、図５（ｂ）に示したように、表示部２２０ｂを開いて置かないと液晶表示画面２２１ｂを見ることができない。もちろん、スライド式の携帯電話機２００ａは、図５（ａ）に示すように、表示部２２０ａ開いて載置した状態でも液晶表示画面２２１ａを見ることができる。
なお、この実施の形態１の記載においては、スライド式の携帯電話機２００ａと折り畳み式の携帯電話機２００ｂとの相違は、主としてこの点にあるので、以下では両者を特に区別せず単に携帯電話機２００等と記す。
【００１２】
図６及び図７は、この発明の実施の形態１の電子装置の置き台の詳細図である。
図６は、携帯電話機２００を置き台１００に載置したときの、（ａ）は正面図、（ｂ）は側面図、（ｃ）は底面図をそれぞれ示す。図７は、携帯電話機２００を置き台１００に載置しないときの、（ａ）は正面図を、（ｂ）は側面図を、（ｃ）は底面図を、（ｄ）は背面図、（ｅ）は平面図をそれぞれ示す。
【００１３】
図６及び図７に示すように、略三角形をなす第１の台部１１０の縦置きの状態での底面の各頂点近傍には第１の足部１４１、１４２及び１４３が設けられている。
図７（ｅ）に示すように、第１の台部１１０に設けられた開口部１１１の両側の、携帯電話機２００の第１の充電端子２１３及び２１４に対向する位置には、第２の充電端子１１２及び１１３が設けられている。
【００１４】
また、第２の台部１２０の横置きの状態での底面には、携帯電話機２００及び置き台１００の重心から下ろした垂線の足を内部に含む三角形の各頂点近傍の位置には、携帯電話機２００及び置き台１００を３点で支持するように第２の足部１５１、１５２及び１５３が設けられている。第１の台部１１０の背面には、ＡＣ電源アダプタ等のコネクタ４００が接続される電源コネクタ１６０が取り付けられている。
なお、置き台１００は、ＡＢＳ等の樹脂で構成されている。
【００１５】
図８は、この第２の充電端子１１２及び１１３の構造を例示する詳細図であり、この図では代表して第２の充電端子１１２について示しているが、第２の充電端子１１３も同様の構造をもつ。図８（ａ)、（ｂ)又は（ｃ）に示すように、第２の充電端子１１２は第１の台部１１０の携帯電話機２００の第１の面２０１に対向する面の法線方向に直動可能に取り付けられ、例えばバネからなる弾性体１１４ａ、１１４ｂ又は１１４ｃにより携帯電話機２００の方向に付勢されている。これにより、携帯電話機２００が置き台１００に載置されたときに、携帯電話機２００の第１の充電端子２１３及び２１４に、置き台１００の第２の充電端子１１２及び１１３がそれぞれ密着するように付圧される。
【００１６】
つぎに動作について説明する。充電のみを行う場合は、携帯電話機２００の表示部２２０を閉じた状態で、縦置きの状態で置き台１００の第１の台部１１０に載置する。
図９は、この発明の実施の形態１の電子装置の置き台の断面図であるが、置き台１００の第２の台部１２０は、ＡＢＳ等の樹脂で構成されているため、全体として弾性体であり、図９（ｂ）に示すように直方体に構成された第２の台部１２０の場合、先端部に外側の力を加えれば外側にわずかにたわむ。つぎに、携帯電話機２００を第１の台部１１０の天面に据えると、第２の台部１２０は携帯電話機２００の側面の外側に押され、その方向にたわむ。
携帯電話機２００を第１の台部１１０の天面に載置した後、携帯電話機２００の側面の外側にたわんでいる第２の台部１２０を携帯電話機２００の側に押し戻すと、爪部１３０が携帯電話機２００の天面に押されることで第２の台部１２０がわずかに湾曲し、爪部１３０が携帯電話機２００の天面の端部を乗り越え、携帯電話機２００の天面の凹部２１１に爪部１３０が嵌合する。この結果、携帯電話機２００は第２の台部１２０で確実に保持され、単に置き台１００に置かれた場合に比べて、より確実に保持される。
【００１７】
このとき、携帯電話機２００の第１の充電端子２１３及び２１４には、置き台１００の第２の充電端子１１２及び１１３がそれぞれ対応するが、弾性体で付勢されている第２の充電端子１１２及び１１３は携帯電話機２００の重量でたわみ、第１の充電端子２１３と１１４との間、及び充電端子２１４と１１５との間に接触不良を防止する以上の接点圧を付与する。その状態で、前述のように第２の台部１２０の先端の爪部１３０が携帯電話機２００の凹部２１１に嵌合し、携帯電話機２００の安定保持と第２の充電端子１１２及び１１３への付圧を保つ構造となっている。
また、第２の台部１２０の内側に貼り付けられた緩衝材１２１により爪部１３０と凹部２１１の嵌合ガタが吸収され、同時に、第１の充電端子２１３と１１４との間、及び充電端子２１４と１１５との間の接触圧のばらつきも吸収される。
【００１８】
この状態で、データ通信のためにデータ通信ケーブル３００のコネクタ３１０を携帯電話機２００に接続するには、置き台１００に携帯電話機２００を載置したまま第２の台部１２０側に倒し、足部１８１、１８２及び１８３の設けられた面を底面にして、横置きの状態にする。すると、開口部１１１は側方に開き、データ通信ケーブル３００のコネクタ３１０は容易に携帯電話機２００のインターフェイスコネクタ２１２に接続できる。なお、開口部１１１をこの実施の形態１のように切り欠き形状とすることで、データ通信ケーブル３００を携帯電話機２００に接続したまま、置き台１００に載置することもできる。
【００１９】
また、縦置きの使用状態では、置き台１００の第１の台部１１０の底面は略三角形であり、足部１７１、１７２、１７３の三点で支持されるため安定しやすい。なお、図２に示した第１の載置位置での第１の台部１１０の前面と側面の間の角度θについて、第２の台部１２０の方向に寝かせる横置きの状態では、携帯電話機２００の表示部２２０は角度θ分傾き、縦置きの状態での保持姿勢と同様に、卓上で液晶表示画面２２１の表示が見やすい角度となる。
【００２０】
また、横置きの載置状態は縦置きでの載置状態に比べて重心が低くなることに加えて、第２の台部１２０は携帯電話機２００の長手方向寸法とほぼ同じであることから、底面積が最も大きく確保できる形状となる上、第２の足部１８１、１８２及び１８３の３点で支持されるため安定しやすい。
なお、第２の台部１２０の長さについては、携帯電話機２００を横置きにしたときの台となる長さを備えていれば十分であるが、この実施の形態1で示したように、第２の台部１２０の長さが携帯電話機２００の長手方向寸法とほぼ同じであればより安定して載置できる。
【００２１】
なお、この実施の形態１では第１の台部１１０を略三角形の第１の台部１１０として、携帯電話機２００のより大きくして安定な形態とした例を示したが、必ずしも携帯電話機２００の第１の面２０１より大きくする必要はなく、第１の面２０１を受け入れるための最低限の大きさを備えれば十分であり、設置面積や置き台１００の大きさなどを考慮して決定されるものである。
【００２２】
また、携帯電話機２００に位置感知センサーを内蔵し、携帯電話機２００が横倒しにされたことを感知できるなら、液晶表示画面２２１への表示を縦型から横型に変換し、横置きでも違和感なく液晶表示画面２２１に表示させることができる。特に、動画再生や、テレビ画像の受信などの機能を使用する場合、横型画面なら、横長であることが多い映像の内容に合致することで画面を広く有効に使用することができる。
【００２３】
また、第２の足部１５１、１５２及び１５３のいずれか１個以上を、携帯電話機２００及び置き台１００の重量で変形する程度の柔軟性を有する弾性体とすることで、卓上に載置したときのガタを吸収し、安定な載置を可能にすると同時に、不意の横荷重に対しすべり防止効果をもつことができる。また、緩衝材１２１と合わせて、携帯電話機２００による音楽再生などを行う際、微振動による置き台１００と机面とのビビリ音を防止する効果がある。
【００２４】
以上のように構成したので、従来の後面方向へ倒す構造で必要であった、傾いた携帯電話機２００を支えるために、直立のために最低限必要なものよりさらに置き台１００の底面を広げる構成や、端子部の保持装置などは不要となり、直立の載置位置で携帯電話機２００を保持する最小限の第１の台部１１０及び横置きの第２の載置位置で携帯電話機２００の保持のための最小限の第２の台部１２０のみで十分となる。
また、携帯電話機２００の表示部２２０を広げた状態でも、携帯電話機２００の重心を低い位置に保つため、安定が良く、横置き状態で不用意な過重が加わっても、第１の充電端子２１３及び２１４やインターフェイスコネクタ２１２を破損しにくい。
【図面の簡単な説明】
【００２５】
【図１】この発明の実施の形態１の電子装置の置き台の概略図である。
【図２】この発明の実施の形態１の電子装置の置き台の概略図である。
【図３】この発明の実施の形態１の電子装置の概略図である。
【図４】この発明の実施の形態１の電子装置の概略図である。
【図５】この発明の実施の形態１の電子装置の置き台の概略図である。
【図６】この発明の実施の形態１の電子装置の置き台の詳細図である。
【図７】この発明の実施の形態１の電子装置の置き台の詳細図である。
【図８】この発明の実施の形態１に電子装置の置き台の充電端子の詳細図である。
【図９】この発明の実施の形態１の電子装置の置き台の断面図である。
【符号の説明】
【００２６】
１００    置き台
１１０    第１の台部
１１１    開口部
１１２、１１２ａ、１１２ｂ、１１２ｃ、１１３    第２の充電端子
１１４ａ、１１４ｂ、１１４ｃ    弾性体
１２０    第２の台部
１２１    緩衝材
１３０    爪部
１４１、１４２、１４３    第１の足部
１５１、１５２、１５３    第２の足部
２００、２００ａ、２００ｂ    電子装置である携帯電話機
２０１、２０１ａ、２０１ｂ    第１の面
２０２、２０２ａ、２０２ｂ    第２の面
２１１、２１１ａ、２１１ｂ    凹部
２１２、２１２ａ、２１２ｂ    インターフェイスコネクタ
２１３、２１３ａ、２１３ｂ、２１４、２１４ａ、２１４ｂ    第１の充電端子
２１１ａ    凹部
【図１】
2006262326.tif 000003
【図２】
2006262326.tif 000004
【図３】
2006262326.tif 000005
【図４】
2006262326.tif 000006
【図５】
2006262326.tif 000007
【図６】
2006262326.tif 000008
【図７】
2006262326.tif 000009
【図８】
2006262326.tif 000010
【図９】
2006262326.tif 000011